(57)【要約】【課題】主管自体の両端部にネジ部を形成しない構造にすることで、主管自体の両端部を大きく絞り加工する必要がないようにし、これにより、使用時の圧縮荷重によって生じる座屈を防止させ、ジャッキとしての機能を十分に果たすことができるようにしたジャッキの提供。【解決手段】パイプ材により形成された主管１と、この主管の一端部に取り付けられた右ネジナット部材２１及び主管の他端部に取り付けられた左ネジナット部材２２と、前記右ネジナット部材に螺合した右ネジ棒３１及び左ネジナット部材に螺合した左ネジ棒３２と、前記右ネジ棒及び左ネジ棒の先端に取り付けられた当て板４１，４２と、前記右ネジナット部材に当接させる状態で右ネジ棒に螺合した右ネジロックナット５１及び左ネジナット部材に当接させる状態で左ネジ棒に螺合した左ネジロックナット５２を備えている。【選択図】　　　図１
2004067335.tif 000002
【特許請求の範囲】
【請求項１】
パイプ材により形成された主管と、
この主管の一端部に取り付けられた右ネジナット部材及び主管の他端部に取り付けられた左ネジナット部材と、
前記右ネジナット部材に螺合した右ネジ棒及び左ネジナット部材に螺合した左ネジ棒と、
前記右ネジ棒及び左ネジ棒の先端に取り付けられた当て板と、
前記右ネジナット部材に当接させる状態で右ネジ棒に螺合した右ネジロックナット及び左ネジナット部材に当接させる状態で左ネジ棒に螺合した左ネジロックナットを備えていることを特徴とするジャッキ。
【発明の詳細な説明】
【０００１】
【発明の属する技術分野】
本発明は、主に建物の床下や天井裏等に設置して、建物を補強するのに使用するジャッキに関する。
【０００２】
【従来の技術】
従来、この種のジャッキとしては、例えば、図４に示すようなものが知られている。
このジャッキは、パイプ材により形成された主管８０と、この主管８０自体の一端部に形成された右ネジ部８１及び主管８０自体の他端部に形成された左ネジ部８２と、前記右ネジ部８１に螺合した右ネジ棒８３及び左ネジ部８２に螺合した左ネジ棒８４と、前記右ネジ棒８３及び左ネジ棒８４の先端に取り付けられた当て板８５，８６と、前記主管８０の一端に当接させる状態で右ネジ棒８３に螺合した右ネジロックナット８７及び主管８０の他端に当接させる状態で左ネジ棒８４に螺合した左ネジロックナット８８を備えている。
即ち、従来のジャッキでは、パイプ材により形成された主管８０自体の両端に、ネジ部８１，８２が形成されたものになっていた。
【０００３】
なお、使用に際しては、例えば、このジャッキを床下の地面と土台骨組みの大引きの間に配置し、次に、主管８０を左回転させることにより、両方のネジ棒８３，８４を進出させ、これにより、大引きを下から突っ張る状態にジャッキを設置させ、最後に両ロックナット８７，８８を主管８の両端に締め付けて、ネジ棒８３，８４の緩みを防止させるものである。
【０００４】
【発明が解決しようとする課題】
上記のジャッキでは、軽量化のために、主管８０をパイプ材により形成させているが、この主管８０には、使用時の圧縮荷重を支えるに十分な太さの外径ｄ１を持たせる必要があるし、又、その両端部には、上記したように、主管８０自体の端部にネジ部８１，８２を形成する必要がある。
【０００５】
従って、従来の主管８０では、その中程部分の外径ｄ１と、両端部の外径ｄ２との差が大きくなるため、図４に示すように両端部を大きく絞り加工して、両端部の外径ｄ２を小径にする必要が生じる。
このように、中程部分の外径ｄ１と、両端部の外径ｄ２との差が大きくなると、使用時の圧縮荷重によって絞り部分に座屈が生じ易くなり、ジャッキとしての機能を果たせなくなるという問題が生じる。
【０００６】
本発明は、かかる従来の問題を解決するためになされたもので、主管自体の両端部にネジ部を形成しない構造にすることで、主管自体の両端部を大きく絞り加工する必要がないようにし、これにより、使用時の圧縮荷重によって生じる座屈を防止させ、ジャッキとしての機能を十分に果たすことができるようにしたジャッキを提供することを課題としている。
【０００７】
【課題を解決するための手段】
上記の課題を解決するために、本発明のジャッキは、
パイプ材により形成された主管と、
この主管の一端部（例えば、上端部）に取り付けられた右ネジナット部材及び主管の他端部（例えば、下端部）に取り付けられた左ネジナット部材と、
前記右ネジナット部材に螺合した右ネジ棒及び左ネジナット部材に螺合した左ネジ棒と、
前記右ネジ棒及び左ネジ棒の先端に取り付けられた当て板と、
前記右ネジナット部材に当接させる状態で右ネジ棒に螺合した右ネジロックナット及び左ネジナット部材に当接させる状態で左ネジ棒に螺合した左ネジロックナットを備えている構成とした。
【０００８】
【発明の実施の形態】
以下、本発明の実施の形態を図面に示す実施例により詳述する。ただし、本発明の具体的な構成はこの実施例に限定されるものではない。
【０００９】
図１は本発明の１実施例であるジャッキを示す断面図である。
図において、１は主管で、軽量化を図るために、パイプ材（鋼管）により形成されている。この主管１は、その外径Ｄが、使用時の圧縮荷重を耐えるに十分の座屈強度を有するように形成されている。
【００１０】
図中２１は右ネジナット部材で、前記主管１とは別部材に形成されて、主管１の一端部（上端部）に取り付けられている。
この右ネジナット部材２１は、円板の内周及び外周に内向きのリブ２１ａ，２１ｂを形成した環状体に形成され、その中央部に、前記内周リブ２１ａの内周に右ネジを形成した右ネジ穴２１ｃが形成されている。
そして、この右ネジナット部材２１は、その外周リブ２１ｂの内周に前記主管１の一端部を圧入することで、主管１の一端部に取り付けられている。
【００１１】
又、図中２２は左ネジナット部材で、前記主管１とは別部材に形成されて、主管１の他端部（下端部）に取り付けられている。
この左ネジナット部材２２は、前記右ネジナット部材２１と同様に、円板の内周及び外周に内向きのリブ２２ａ，２２ｂを形成した環状体に形成され、その中央部に、前記内周リブ２２ａの内周に左ネジを形成した左ネジ穴２２ｃが形成されている。
そして、この左ネジナット部材２２は、その外周リブ２２ｂの内周に前記主管１の他端部を圧入することで、主管１の他端部に取り付けられている。
【００１２】
なお、前記右ネジナット部材２１及び左ネジナット部材２２の外径は、主管１の外径Ｄとほぼ同一径になるように形成されている。これは主管１との段差を無くして、段差の角によって作業時にケガが生じる危険を回避させるための構造である。
このため、前記主管１の両端部には、右ネジナット部材２１及び左ネジナット部材２２の板厚分だけ、絞り加工した小径部１０，１０を形成しているが、この小径部１０，１０は必ずしも必要でなく、主管１をストレート形状に形成して、その端部に前記右ネジナット部材２１及び左ネジナット部材２２を取り付けるようにしてもよい。
【００１３】
図中３１は右ネジ棒で、その基端側が前記右ネジナット部材２１に螺合し、その先端に当て板４１が取り付けられている。
又、３２は左ネジ棒で、その基端側が前記左ネジナット部材２２に螺合し、その先端に当て板４２が取り付けられている。
【００１４】
又、図中５１は、右ネジロックナットで、前記右ネジナット部材２１に当接させる状態で右ネジ棒３１に螺合させるもので、この右ネジ棒３１の緩みを防止する。
又、５２は、左ネジロックナットで、前記左ネジナット部材２２に当接させる状態で左ネジ棒３２に螺合させるもので、この左ネジ棒３２の緩みを防止する。
【００１５】
本実施例のジャッキを使用するに際しては、例えば、このジャッキを床下の地面と土台骨組みの大引きの間に配置し、次に、主管１を左回転させることにより、両方のネジ棒３１，３２を進出させ、これにより、大引きを下から突っ張る状態にジャッキを設置させ、最後に両ロックナット５１，５２を両ナット部材２１，２２の端面に締め付けて、ネジ棒３１，３２の緩みを防止させるものである。
【００１６】
本実施例のジャッキでは、主管１の端部に右ネジナット部材２１及び左ネジナット部材２２を取り付け、この右ネジナット部材２１及び左ネジナット部材２２に右ネジ棒３１及び左ネジ棒３２を螺合させる構造であるため、主管１自体の両端部に、ネジ部を形成する必要がない。
【００１７】
従って、主管１の両端部の外径を従来のように小径に形成するために大きく絞り加工する必要がなくなる。これにより、中程部分の外径Ｄと、両端部の外径との差を小さくできるため、使用時の圧縮荷重によって座屈が生じるといったことを防止できるし、ジャッキとしての機能を十分に果たすことができる。
【００１８】
また、主管１とナット部材２１，２２を別部材に形成したので、条件に応じて異なった板厚設定が可能になり、ジャッキ自身の軽量化や高強度化など、さまざまな状況に対応可能になる。
【００１９】
次に、図２はジャッキの他例を示す断面図である。
このジャッキは、傾斜部分に設置できるようにしたもので、一方のネジ棒３１（例えば、右ネジ棒）の先端に、ピン４３を介して当て板４１が回動可能に連結されている。
【００２０】
従って、例えば、屋根の垂木等をジャッキで下から支える場合に、この垂木の傾斜に応じて当て板４１を傾斜させることができ、このような傾斜部分に対しても的確にジャッキ設置することができる。
なお、その他の構成及び作用は、前記図１で示した実施例と同様であるため、図面の符合を同一にして、その説明を省略する。
【００２１】
次に、図３はジャッキの他例を示す断面図である。
このジャッキは、一方のネジ棒３１（例えば、右ネジ棒）の先端に取り付けた当て板４１が、ネジ棒３１の軸方向と直交する受板部４１ａと、この受板部４１ａの側縁から立上げられた側板部４１ｂとで形成された直角板に形成されたもので、例えば、建物の床下や天井裏等の骨組み材（角材）を、下方から支持すると同時に、側方からも支持して、当て板４１のズレを防止するようにしたものである。
なお、その他の構成及び作用は、前記図１で示した実施例と同様であるため、図面の符合を同一にして、その説明を省略する。
【００２２】
【発明の効果】
以上説明してきたように、本発明のジャッキにあっては、主管の端部に右ネジナット部材及び左ネジナット部材を取り付け、この右ネジナット部材及び左ネジナット部材に右ネジ棒及び左ネジ棒を螺合させる構造であるため、主管自体の両端部に、ネジ部を形成する必要がない。
【００２３】
従って、主管の両端部の外径を従来のように小径に形成するために大きく絞り加工する必要がなくなる。これにより、中程部分の外径と、両端部の外径との差を小さくできるため、使用時の圧縮荷重によって座屈が生じるといったことを防止できるし、ジャッキとしての機能を十分に果たすことができる。
【００２４】
また、主管とナット部材を別部材に形成したので、条件に応じて異なった板厚設定が可能になり、ジャッキ自身の軽量化や高強度化など、さまざまな状況に対応することができる。
【図面の簡単な説明】
【図１】本発明の１実施例であるジャッキを示す断面図である。
【図２】ジャッキの他例を示す断面図である。
【図３】ジャッキの他例を示す断面図である。
【図４】従来のジャッキを示す断面図である。
【符号の説明】
１　主管
１０　小径部
２１　右ネジナット部材
２１ａ　内周リブ
２１ｂ　外周リブ
２１ｃ　右ネジ穴
２２　左ネジナット部材
２２ａ　内周リブ
２２ｂ　外周リブ
２２ｃ　左ネジ穴
３１　右ネジ棒
３２　左ネジ棒
４１　当て板
４１ａ　受板部
４１ｂ　側板部
４２　当て板
４３　ピン
５１　右ネジロックナット
５２　左ネジロックナット
【図１】
2004067335.tif 000003
【図２】
2004067335.tif 000004
【図３】
2004067335.tif 000005
【図４】
2004067335.tif 000006